(57)【要約】【課題】ＬＥＤ光源の粒浮き出し等を防止するとともに器具効率を改善して室内を間接照明できるＬＥＤ照明装置を提供する。【解決手段】室内１１の天井面１２に取り付けられる器具本体２０に取り付けられたＬＥＤ光源２２は、室内１１の中心側とは反対側の方向に光を照射する。そして、器具本体２０におけるＬＥＤ光源２２に対向する位置に透光性を有する凹状球面形状の反射材２３を設けるとともに、ＬＥＤ光源２２および反射材２３を収容する透光性を有するカバー２５設けた。このため、ＬＥＤ光源２２から室内の中心側とは反対側に照射された光は、反射材２３により反射した後に、カバー２５を通って室内の中心側へ照射される。これにより、カバー２５に光拡散効果を多く求める必要が無く、器具効率が向上するとともにカバー２５にＬＥＤ光源２２の粒浮き出し等が発生するのを防止して室内１１を間接照明できる。【選択図】図３
2013161624.tif 000002
【特許請求の範囲】
【請求項１】
室内の天井面に取り付けられる器具本体と、
前記器具本体に取り付けられ、前記室内の中心側とは反対側の方向に光を照射するＬＥＤ光源と、
前記器具本体における前記ＬＥＤ光源に対向する位置に設けた透光性を有する凹状球面形状の反射材と、
前記ＬＥＤ光源および前記反射材を収容する透光性を有するカバーと、を有するＬＥＤ照明装置。
【請求項２】
請求項１に記載のＬＥＤ照明装置において、
前記反射材と前記カバーとの間に空間を有するＬＥＤ照明装置。
【請求項３】
請求項１または請求項２に記載のＬＥＤ照明装置において、
前記カバーが、前記室内の隅部に対応する形状を有するＬＥＤ照明装置。
【請求項４】
請求項１ないし請求項３のうちのいずれか１項に記載のＬＥＤ照明装置において、
前記ＬＥＤ光源が、前記天井面に対して傾斜しているＬＥＤ照明装置。
【発明の詳細な説明】
【技術分野】
【０００１】
本発明は、室内の天井面の隅部に取り付けて室内を間接照明するＬＥＤ照明装置に関するものである。
【背景技術】
【０００２】
従来より、室内の壁面に取り付けて、間接照明により室内を照明するＬＥＤ照明装置が知られている（例えば、特許文献１参照）。
図５に示すように、特許文献１に記載のＬＥＤ照明装置１００は、壁面１０１に取り付けて、床面１０２側および天井面１０３側を照明して、室内等の照明空間を間接照明する。
ＬＥＤ照明装置１００は、矩形筒状の器具本体１０４を有しており、床面１０２に対向する下側照射開口１０５および天井面１０３に対向する上側照射開口１０６を有する。
器具本体１０４の内部には、下側照射開口１０５に向けて光を照射するＬＥＤ光源部１０７が設けられており、基板１０８の下面にＬＥＤ１０９を有する。
下側照射開口１０５には、入射した光の一部を透過させ、他を反射する半反射部材１１１が取り付けられている。
【０００３】
これにより、半反射部材１１１によって反射される光は、主に器具本体１０４の前側板１１２の方向へ照射され、半反射部材１１１を透過した光は、下側照射開口１０５から、下方へ照射される。
【先行技術文献】
【特許文献】
【０００４】
【特許文献１】特開２０１０−１９２３８８号公報（第１図）
【発明の概要】
【発明が解決しようとする課題】
【０００５】
しかしながら、前述した特許文献１に記載のＬＥＤ照明装置においては、壁面に取り付けるため、壁面付近の間接照明には適するが、室内全体の照明には適さないという問題があった。
また、一般に、間接的に照明するＬＥＤ照明装置においては、ＬＥＤ光源を覆うカバーに、ＬＥＤ光源グレア、ＬＥＤ光源の粒が浮き出し、光量の局所集中等が発生するのを防止するために、ＬＥＤ光源の近傍に光拡散機能を有する部材を設けている。
このため、光のロス（減衰）が多く、器具効率が低下するという問題があった。
【０００６】
本発明は、従来の問題を解決するためになされたもので、ＬＥＤ光源の粒の浮き出し等を防止するとともに器具効率を改善して室内を間接照明できるＬＥＤ照明装置を提供することを目的とする。
【課題を解決するための手段】
【０００７】
本発明のＬＥＤ照明装置は、室内の天井面に取り付けられる器具本体と、前記器具本体に取り付けられ、前記室内の中心側とは反対側の方向に光を照射するＬＥＤ光源と、前記器具本体における前記ＬＥＤ光源に対向する位置に設けた透光性を有する凹状球面形状の反射材と、前記ＬＥＤ光源および前記反射材を収容する透光性を有するカバーと、を有するものである。
【０００８】
また、本発明のＬＥＤ照明装置は、前記反射材と前記カバーとの間に空間を有するものである。
【０００９】
また、本発明のＬＥＤ照明装置は、前記カバーが、前記室内の隅部に対応する形状を有するものである。
【００１０】
さらに、本発明のＬＥＤ照明装置は、前記ＬＥＤ光源が、前記天井面に対して傾斜しているものである。
【発明の効果】
【００１１】
本発明では、ＬＥＤ光源から室内の中心側とは反対側に照射された光は、反射材により反射した後に、カバーを通って室内の中心側へ照射されるので、カバーに光拡散効果を多く求める必要が無く、器具効率が向上するとともにカバーにＬＥＤ光源の粒浮き出し等が発生するのを防止して室内を間接照明できるという効果を有するＬＥＤ照明装置を提供できる。
【図面の簡単な説明】
【００１２】
【図１】本発明に係る実施形態のＬＥＤ照明装置を天井面に取り付けた部屋の側面図
【図２】本発明に係る実施形態のＬＥＤ照明装置を取り付けた天井面を下方から見た下面図
【図３】（Ａ）はＬＥＤ照明装置の断面図であり、（Ｂ）は（Ａ）中Ｂ−Ｂ位置の断面図
【図４】ＬＥＤ照明装置の配光状態の説明図
【図５】従来の間接照明用のＬＥＤ照明装置を壁面に取り付けた室内の断面図
【発明を実施するための形態】
【００１３】
以下、本発明に係る実施形態のＬＥＤ照明装置について、図面を用いて説明する。
図１および図２に示すように、本発明に係る実施形態のＬＥＤ照明装置１０は、室内１１の天井面１２の隅部１２Ａに取り付けて、室内１１の中央側を照明するのに用いられる。
なお、図２においては、天井面１２の四隅の隅部１２Ａ全てにＬＥＤ照明装置１０を配置した例を示しているが、数および配置はこれに限定するものではない。
【００１４】
図３（Ａ）および（Ｂ）に示すように、ＬＥＤ照明装置１０は、天井面１２に取り付けられる器具本体２０を有する。
器具本体２０は、例えば、室内１１の交差する二つの壁面１３、１４の交差角度θ１（図２参照）に対応した中心角θ２を有する扇形状の板状部材である。ここでは、二つの壁面１３、１４が直交するので、θ１＝θ２＝９０度の場合について説明する。
なお、二つの壁面１３、１４の交点を中心点ＣＰで示す。
【００１５】
器具本体２０の下面２０Ａには、断面が台形で、中心点ＣＰを中心とする同心円状のヒートシンク２１が取り付けられている。
ヒートシンク２１の中心点ＣＰ側面は下向きに傾斜（傾斜面２１Ａ）しており、傾斜面２１Ａには複数のＬＥＤ光源２２が所定間隔で取り付けられている。
従って、ＬＥＤ光源２２から発せられた光は、室内１１の中心側とは反対側、すなわち隅部１２Ａの下方に向かって照射される。
【００１６】
器具本体２０の下面２０ＡにおけるＬＥＤ光源２２の前方（すなわち、中心点ＣＰ側）には、断面Ｊ字形状の凹状球面形状を有する透光性の反射材２３が取り付けられている。反射材２３は、ＬＥＤ光源２２を内包するように湾曲している。
ここで、透光性を有する材料としては、半透明の樹脂やガラスやハーフミラー等のほか、穿孔した板、格子状あるいは梯子状の部材のように、光の一部を透過させ、一部を反射させる部材を言う。
なお、反射材２３は、器具本体２０の端部よりも内側に設けられており、後述するカバー２５との間に空間２６が設けられている。
【００１７】
器具本体２０の下面２０Ａにおけるヒートシンク２１の近傍には、天井裏１２Ｂに配線されている商用電源から電力の供給を受けて、ＬＥＤ光源２２に点灯電力を供給する点灯用電源装置２４が取り付けられている。
また、器具本体２０には、ＬＥＤ光源２２および反射材２３等を収容し、高透光性を有するカバー２５が、着脱可能に設けられている。
【００１８】
従って、図４に示すように、ＬＥＤ光源２２から天井面１２側に照射された光ＬＢ１は、反射材２３で反射して下方に向かい、カバー２５を透過して下方へ照射される。
また、ＬＥＤ光源２２から壁面１３、１４側に照射された光ＬＢ２は、大部分は反射材２３で反射して室内１１の中心方向下方に向かい、カバー２５を透過して照射される（ＬＢ３）。そして、一部は反射材２３を透過して、弱い光となって壁面１３、１４側に照射される（ＬＢ４）。
さらに、ＬＥＤ光源２２から下方に照射された光ＬＢ５は、直接カバー２５を透過して、下方に照射される（ＬＢ５）。
【００１９】
以上、説明した本発明に係る実施形態のＬＥＤ照明装置１０によれば、室内１１の天井面１２に取り付けられる器具本体２０に取り付けられたＬＥＤ光源２２は、室内１１の中心側とは反対側の方向に光を照射する。
そして、器具本体２０におけるＬＥＤ光源２２に対向する位置に透光性を有する凹状球面形状の反射材２３を設けるとともに、ＬＥＤ光源２２および反射材２３を収容する透光性を有するカバー２５を設けた。
【００２０】
このため、ＬＥＤ光源２２から室内１１の中心側とは反対側に照射された光は、反射材２３により反射した後に、カバー２５を通って室内１１の中心側へ照射される。これにより、カバー２５に光拡散効果を多く求める必要が無く器具効率が向上するとともに、カバー２５にＬＥＤ光源２２の粒浮き出し等が発生するのを防止して室内１１を間接照明できる。
また、反射材２３が透光性を有するので、天井面１２の隅部１２Ａに設置した際に、死角となる領域１２Ｃ（図１および図２参照）に漏れた光を照射でき、隅部１２Ａが暗く感じるのを防止できる。
【００２１】
また、本発明に係る実施形態のＬＥＤ照明装置１０によれば、反射材２３とカバー２５との間に空間２６を有するので、透光性を有する反射材２３を透過した光が直接カバー２５に入射するのを防止して、カバー２５にＬＥＤ光源２２の粒浮き出し等が発生するのを防止できる。
【００２２】
また、本発明に係る実施形態のＬＥＤ照明装置１０によれば、カバー２５が、室内１１の隅部１２Ａに対応する形状を有するので、天井面１２の隅部１２Ａに取り付けることができ、インテリア照明設計のデザイン展開が図れる。
【００２３】
さらに、本発明に係る実施形態のＬＥＤ照明装置１０によれば、ＬＥＤ光源２２が、天井面１２に対して傾斜しているので、壁面１３、１４が交差する入隅線の下方に向けて光を照射できる。
【００２４】
なお、本発明のＬＥＤ照明装置１０は、前述した実施形態に限定されるものでなく、適宜な変形、改良等が可能である。
【符号の説明】
【００２５】
１０  ＬＥＤ照明装置
１１  室内
１２  天井面
１２Ａ  隅部
２０  器具本体
２２  ＬＥＤ光源
２３  反射材
２５  カバー
２６  空間
【図１】
2013161624.tif 000003
【図２】
2013161624.tif 000004
【図３】
2013161624.tif 000005
【図４】
2013161624.tif 000006
【図５】
2013161624.tif 000007